(57)【特許請求の範囲】
【請求項１】
操作入力を受け付ける受付手段と、
各外部装置から消費電力情報を受信する受信手段と、
各外部装置の消費電力情報に基づき、各外部装置の消費電力量の値を表示するための、各外部装置に夫々対応する複数の画像を含む第１の画面を表示装置に表示させる第１の表示制御手段と、
前記受付手段が、前記第１の画面に含まれる前記複数の画像の中から、第１又は第２の外部装置に対応する第１又は第２の画像の選択入力を受け付けた場合に、前記第１又は第２の外部装置を制御するための第１又は第２の制御画像を含む第２の画面を前記表示装置に表示させる第２の表示制御手段と、
前記受付手段が、前記表示装置により表示された前記第１又は第２の制御画像に対する制御入力を受け付けた場合に、当該制御入力に応じて前記第１又は第２の外部装置を制御する制御手段と、
を備え、
前記受付手段が、前記第２の制御画像に対する待機状態への変更制御入力を受け付けた場合に、前記制御手段は、前記変更制御入力に応じて前記第２の外部装置を待機状態へ制御し、
前記第１の表示制御手段は、前記第１の画面に含まれる前記複数の画像のうち、動作状態の前記第１の外部装置に対応する前記第１の画像と待機状態に制御された前記第２の外部装置に対応する第２の画像とを区別して前記表示装置に表示させ、
前記第１の表示制御手段は、動作状態の前記第１の外部装置に対応する前記第１の画像を第１のエリアに表示させ、待機状態に制御された前記第２の外部装置に対応する前記第２の画像を前記第１のエリアから離れた第２のエリアに表示させ、
前記第１の表示制御手段は、動作状態の前記第２の外部装置に対応する前記第２の画像を前記第１のエリアに表示させて、動作状態の前記第２の外部装置を待機状態へ制御したことに対応して、前記第１のエリアに表示された前記第２の画像を前記第２のエリアへ移動させて、待機状態に制御された前記第２の外部装置に対応する前記第２の画像を前記第２エリアに表示させる電子機器。
【請求項２】
操作入力を受け付ける受付手段と、
各外部装置から消費電力情報を受信する受信手段と、
各外部装置の消費電力情報に基づき、各外部装置の消費電力量の値を表示するための、各外部装置に夫々対応する複数の画像を含む第１の画面を表示装置に表示させる第１の表示制御手段と、
前記受付手段が、前記第１の画面に含まれる前記複数の画像の中から、第１又は第２の外部装置に対応する第１又は第２の画像の選択入力を受け付けた場合に、前記第１又は第２の外部装置を制御するための第１又は第２の制御画像を含む第２の画面を前記表示装置に表示させる第２の表示制御手段と、
前記受付手段が、前記表示装置により表示された前記第１又は第２の制御画像に対する制御入力を受け付けた場合に、当該制御入力に応じて前記第１又は第２の外部装置を制御する制御手段と、
を備え、
前記受付手段が、外部制御装置から、前記第２の外部装置の待機状態への変更制御入力を受け付けた場合に、前記制御手段は、前記変更制御入力に応じて前記第２の外部装置を待機状態へ制御し、
前記第１の表示制御手段は、前記第１の画面に含まれる前記複数の画像のうち、動作状態の前記第１の外部装置に対応する前記第１の画像と待機状態に制御された前記第２の外部装置に対応する第２の画像とを区別して前記表示装置に表示させ、
前記第１の表示制御手段は、動作状態の前記第１の外部装置に対応する前記第１の画像を第１のエリアに表示させ、待機状態に制御された前記第２の外部装置に対応する前記第２の画像を前記第１のエリアから離れた第２のエリアに表示させ、
前記第１の表示制御手段は、動作状態の前記第２の外部装置に対応する前記第２の画像を前記第１のエリアに表示させて、動作状態の前記第２の外部装置を待機状態へ制御したことに対応して、前記第１のエリアに表示された前記第２の画像を前記第２のエリアへ移動させて、待機状態に制御された前記第２の外部装置に対応する前記第２の画像を前記第２エリアに表示させる電子機器。
【請求項３】
前記第２の表示制御手段は、前記複数の画像を含む前記第２の画面を前記表示装置に表示させる請求項１又は２記載の電子機器。
【請求項４】
前記第１及び第２の画面を表示する前記表示装置を備えた請求項１乃至３の何れか１項記載の電子機器。
【請求項５】
前記受付手段は、前記表示装置上のカーソルにより、各外部装置の中から前記第１又は第２の外部装置の選択入力を受け付ける請求項１乃至４の何れか１項記載の電子機器。
【請求項６】
前記表示装置は、動作状態の各外部装置の消費電力の割合をグラフで表示する請求項１乃至５の何れか１項記載の電子機器。
【請求項７】
前記受付手段が、前記第１の外部装置を制御するための前記第１の制御画像を介して、待機電力より高い動作電力が供給された前記動作状態を、前記待機電力が供給された前記待機状態へ変更するための第１の変更指示入力を受け付けた場合に、前記制御手段は、前記第１の変更指示入力に基づき、前記第１の外部装置に対して前記待機状態への変更を指示する第１の制御信号を送信する請求項１乃至６の何れか１項記載の電子機器。
【請求項８】
前記受付手段が、前記第２の外部装置を制御するための前記第２の制御画像を介して、前記待機状態を前記動作状態へ変更するための第２の変更指示入力を受け付けた場合に、前記制御手段は、前記第２の変更指示入力に基づき、前記第２の外部装置に対して前記動作状態への変更を指示する第２の制御信号を送信する請求項７記載の電子機器。
【請求項９】
各外部装置から消費電力情報を受信し、
各外部装置の消費電力情報に基づき、各外部装置の消費電力量の値を表示するための、各外部装置に夫々対応する複数の画像を含む第１の画面を表示装置に表示させ、
操作入力を受け付ける受付手段が、前記第１の画面に含まれる前記複数の画像の中から、第１又は第２の外部装置に対応する第１又は第２の画像の選択入力を受け付けた場合に、前記第１又は第２の外部装置を制御するための第１又は第２の制御画像を含む第２の画面を前記表示装置に表示させ、
前記受付手段が、前記表示装置により表示された前記第２の制御画像に対する待機状態への変更制御入力を受け付けた場合に、当該変更制御入力に応じて前記第２の外部装置を待機状態へ制御し、
前記第１の画面に含まれる前記複数の画像のうち、動作状態の前記第１の外部装置に対応する前記第１の画像と待機状態に制御された前記第２の外部装置に対応する前記第２の画像とを区別して前記表示装置に表示させ、
動作状態の前記第１の外部装置に対応する前記第１の画像を第１のエリアに表示させ、待機状態に制御された前記第２の外部装置に対応する前記第２の画像を前記第１のエリアから離れた第２のエリアに表示させ、
動作状態の前記第２の外部装置に対応する前記第２の画像を前記第１のエリアに表示させて、動作状態の前記第２の外部装置を待機状態へ制御したことに対応して、前記第１のエリアに表示された前記第２の画像を前記第２のエリアへ移動させて、待機状態に制御された前記第２の外部装置に対応する前記第２の画像を前記第２エリアに表示させる情報出力方法。
【請求項１０】
各外部装置から消費電力情報を受信し、
各外部装置の消費電力情報に基づき、各外部装置の消費電力量の値を表示するための、各外部装置に夫々対応する複数の画像を含む第１の画面を表示装置に表示させ、
操作入力を受け付ける受付手段が、前記第１の画面に含まれる前記複数の画像の中から、第１又は第２の外部装置に対応する第１又は第２の画像の選択入力を受け付けた場合に、前記第１又は第２の外部装置を制御するための第１又は第２の制御画像を含む第２の画面を前記表示装置に表示させ、
前記受付手段が、外部制御装置から、前記第２の外部装置の待機状態への変更制御入力を受け付けた場合に、当該変更制御入力に応じて前記第２の外部装置を待機状態へ制御し、
前記第１の画面に含まれる前記複数の画像のうち、動作状態の前記第１の外部装置に対応する前記第１の画像と待機状態に制御された前記第２の外部装置に対応する前記第２の画像とを区別して前記表示装置に表示させ、
動作状態の前記第１の外部装置に対応する前記第１の画像を第１のエリアに表示させ、待機状態に制御された前記第２の外部装置に対応する前記第２の画像を前記第１のエリアから離れた第２のエリアに表示させ、
動作状態の前記第２の外部装置に対応する前記第２の画像を前記第１のエリアに表示させて、動作状態の前記第２の外部装置を待機状態へ制御したことに対応して、前記第１のエリアに表示された前記第２の画像を前記第２のエリアへ移動させて、待機状態に制御された前記第２の外部装置に対応する前記第２の画像を前記第２エリアに表示させる情報出力方法。
【請求項１１】
前記第１の表示制御手段は、前記第２の外部装置からの待機状態通知に基づき、動作状態の前記第１の外部装置に対応する前記第１の画像と待機状態に制御された前記第２の外部装置に対応する前記第２の画像とを区別して前記表示装置に表示させる請求項１乃至８の何れか１項記載の電子機器。
【請求項１２】
前記受付手段が、前記２の画像の選択入力を受け付けた場合に、前記第２の表示制御手段は、待機状態に制御された前記第２の外部装置を制御するための前記第２の制御画像を含む第３の画面を前記表示装置に表示させる請求項１乃至８、及び１１の何れか１項記載の電子機器。
【請求項１３】
前記第２の外部装置からの待機状態通知に基づき、動作状態の前記第１の外部装置に対応する前記第１の画像と待機状態に制御された前記第２の外部装置に対応する前記第２の画像とを区別して前記表示装置に表示させる請求項９又は１０に記載の情報出力方法。
【請求項１４】
前記受付手段が、前記２の画像の選択入力を受け付けた場合に、待機状態に制御された前記第２の外部装置を制御するための前記第２の制御画像を含む第３の画面を前記表示装置に表示させる請求項９、１０、及び１３の何れか１項記載の情報出力方法。
【請求項１５】
請求項１乃至８、１１、及び１２の何れか１項に記載の電子機器と、
前記第１の外部装置とを備えるシステム。
【発明の詳細な説明】
【技術分野】
【０００１】
本発明の実施形態は、電子機器及び情報出力方法に関する。
【背景技術】
【０００２】
近年、例えばデジタルＴＶのような電子機器の普及が目覚ましい。このような電子機器は、例えば、無線又は有線で外部装置と接続し、外部装置からの情報を受信し、受信した情報をユーザに提供することができる。さらに、このような電子機器は、外部装置の動作を制御することができる場合もある。
【０００３】
また、近年、省エネルギーに対する関心の高まりから、例えば、１台のコンピュータにより複数の外部装置の消費電力を監視する技術が提案されている。
【先行技術文献】
【特許文献】
【０００４】
【特許文献１】特開２００８−２６１８２６号公報
【発明の概要】
【発明が解決しようとする課題】
【０００５】
各外部装置の消費電力の確認に加えて、各外部装置を制御したいという要望がある。
【０００６】
本発明が解決しようとする課題は、各外部装置の消費電力を確認することができ、さらに各外部装置を制御することができる電子機器及び情報出力方法を提供することである。
【課題を解決するための手段】
【０００７】
実施形態の電子機器は、受信手段と、生成手段と、出力手段と、受付手段と、制御手段とを備える。前記受信手段は、各電子装置から消費電力情報を受信する。前記生成手段は、各外部装置の消費電力情報に基づき各外部装置の消費電力を相対的に表示するための表示情報を生成する。前記出力手段は、前記表示情報を出力する。前記受付手段は、各外部装置の中から第１の外部装置の選択を受け付ける。前記制御手段は、前記第１の外部装置を制御する。
【図面の簡単な説明】
【０００８】
【図１】第１の実施形態に係る消費電力表示システムの一例を示す図である。
【図２】各外部装置の消費電力表示の一例を示す図である。
【図３】各外部装置の消費電力表示及び制御メニューの表示の一例を示す図である。
【図４】制御メニューの詳細表示の一例を示す図である。
【図５】各外部装置の消費電力表示の一例を示す図である。
【図６】制御メニューの詳細表示の一例を示す図である。
【図７】各外部装置の消費電力表示の一例を示す図である。
【図８】各外部装置の消費電力表示及び制御メニューの表示の一例を示す図である。
【図９】第２の実施形態に係る消費電力表示システムの一例を示す図である。
【図１０】各外部装置の消費電力表示の一例を示す図である。
【図１１】第１及び第２の実施形態のＤＴＶの概略構成の一例を示す図である。
【図１２】消費電力情報取得の第１例を説明するための図である。
【図１３】消費電力情報取得の第２例を説明するための図である。
【図１４】消費電力情報取得の第３例を説明するための図である。
【発明を実施するための形態】
【０００９】
図１は、第１の実施形態に係る消費電力表示システムの一例を示す図である。図１に示すように、例えば、消費電力表示システムは、デジタルＴＶ（ＤＴＶ）１、外部装置２、３、４、５により構成される。
【００１０】
ＤＴＶ１は、外部装置２、３、４、５と無線又は有線にて接続される。ＤＴＶ１と外部装置２、３、４、５との間のインターフェースには、様々な通信技術を適用することができる。例えば、上記インターフェースには、Bluetooth（登録商標）、ZigBee（登録商標）、Wi-Fi（登録商標）、PLCなどの通信技術を適用することができる。例えば、ＤＴＶ１は、外部装置２、３、４、５からの消費電力情報等の各種情報を受信することができ、また、外部装置２、３、４、５の動作を制御するための制御信号を送信することができる。
【００１１】
また、外部装置２、３、４、５（即ち各外部装置）は、無線通信機能を備え、ＤＴＶ１と無線通信することができる。各外部装置は、この無線通信機能により、ＤＴＶ１に対して消費電力情報を送信することができ、またＤＴＶ１からの制御信号を受信し、制御信号に基づき動作することができる。例えば、各外部装置は、近距離無線通信等により、ＤＴＶ１と通信し、各外部装置は、自装置の各時間帯の消費電力量、１日の消費電力量、１週間の消費電力量、１か月の消費電力量等の消費電力情報を送信することができる。
【００１２】
また、各外部装置は、待機電力の供給を受けて待機状態（いわゆるパワーオフ状態）となり、待機電力より高い動作電力の供給を受けて動作状態（いわゆるパワーオン状態）となる。例えば、待機状態の外部装置は、ＤＴＶ１から電力制御信号を受信すると、待機電力の給電状態から動作電力の給電状態へ切り替えて、動作状態となる。また、動作状態の外部装置は、ＤＴＶ１から電力制御信号を受信すると、動作電力の給電状態から待機電力の給電状態へ切り替えて、待機状態となる。
【００１３】
各外部装置は、待機状態及び動作状態の何れの状態でも、ＤＴＶ１と通信することができる。
【００１４】
図９は、第２の実施形態に係る消費電力表示システムの一例を示す図である。図９に示すように、消費電力表示システムは、ＤＴＶ１、外部装置２、３、４、５、スマートメータ６により構成される。
【００１５】
ＤＴＶ１は、外部装置２、３、４、５と無線又は有線にて接続され、また、スマートメータ６と無線又は有線にて接続される。ＤＴＶ１と外部装置２、３、４、５との間のインターフェース、及びＤＴＶ１とスマートメータ６との間のインターフェースには、様々な通信技術を適用することができる。例えば、ＤＴＶ１は、外部装置２、３、４、５からの消費電力情報等の各種情報を受信することができ、また、スマートメータ６からのスマートエナジーデータ（smart energy data）等の各種情報を受信することができ、外部装置２、３、４、５の動作を制御するための制御信号を送信することができる。例えば、スマートメータ６は、各家庭に設置され、近距離無線通信等により、各電力消費機器（例えば外部装置２、３、４、５以外の電力消費機器）と通信し、各電力消費機器から消費電力量情報を受信し、各電力消費機器の消費電力量情報及び合計消費電力量情報を表示したり、他の機器へ送信したりすることができる。さらに、スマートメータ３は、各電力消費機器の各時間帯の消費電力量、１日の消費電力量、１週間の消費電力量、１か月の消費電力量を管理することができ、同様に、各時間帯の合計消費電力量、１日の合計消費電力量、１週間の合計消費電力量、１か月の合計消費電力量等も管理することができ、これら管理された情報を表示したり、他の機器へ送信したりすることもできる。このような消費電力に関する情報を総称して、スマートエナジーデータと呼ぶ。
【００１６】
図１１は、第１及び第２の実施形態に係るＤＴＶ１の概略構成を示す図である。第１及び第２の実施形態では、ＤＴＶ１による各種情報出力（消費電力情報出力）について説明するが、ＤＴＶ１による各種情報出力だけに限定するものではない。例えば、各種情報を出力することができる各種のレコーダ、プレイヤー、及びコンピュータ等により以下説明する消費電力情報出力等を実現することも可能である。
【００１７】
図１１に示すように、ＤＴＶ１は、映像記録再生部１ａ、映像表示部１ｂ、音声出力部１ｃにより構成される。例えば、上記したレコーダは、映像記録再生部１ａにより構成され、上記したプレイヤーは、映像記録再生部１ａのうちの再生部により構成される。
【００１８】
図１１に示すように、映像記録再生部１ａは、ユーザ操作入力部１０１、信号受光部１０２、通信モジュール１０３、制御モジュール（コントローラ）１０４、チューナ部１０５、メモリ１０６、ＯＳＤ制御モジュール１０７、記録再生信号処理モジュール１０８、合成処理モジュール１０９、ディスクドライブ部１１１、ハードディスクドライブ部１１２、人感センサ１１３を備えている。
【００１９】
制御モジュール１０４は、番組の記録動作及び再生動作を制御したり、また、後述する消費電力表示を制御したり、外部装置２、３、４、５の動作を制御することができる。通信モジュール１０３は、各外部装置に対して各種情報を送信したり、各外部装置から各種情報（例えば消費電力情報）を受信したり、また、スマートメータ６に対して各種情報を送信したり、スマートメータ６から各種情報（スマートエナジーデータ）を受信したりすることができる。
【００２０】
メモリ１０６は、通信モジュール１０３により受信された各種情報（例えば各外部装置からの消費電力情報、スマートメータ６からのスマートエナジーデータ）を記憶することができる。例えば、メモリ１０６は、各外部装置からの最新の消費電力情報を記憶したり、スマートメータ６から提供される最新のスマートエナジーデータを記憶したりする。
【００２１】
チューナ部１０５は、指定チャンネルの放送信号を選択し、選択した放送信号を記録再生信号処理モジュール１０８へ入力する。記録処理が指定されている場合には、記録再生信号処理モジュール１０８は、放送信号に対応した番組コンテンツ（映像信号及び音声信号）をディスクドライブ部１１１又はハードディスクドライブ部１１２へ入力する。ディスクドライブ部１１１は、入力された番組コンテンツをＤＶＤ又はＢＤ（Blu-ray）（登録商標）等の光ディスクへ記録する。或いは、ハードディスクドライブ部１１２は、入力された番組コンテンツをハードディスクへ記録する。再生処理が指定されている場合には、記録再生信号処理モジュール１０８は、放送信号に対応した番組コンテンツを、合成処理モジュール１０９を介して、映像表示部１ｂ及び音声出力部１ｃへ出力する。
【００２２】
続いて、リモートコントローラ１０２ａを介した各種操作の一例について説明する。ユーザ操作入力部１０１を介した各種操作は、リモートコントローラ１０２ａを介した各種操作と実質的に同一であるため、その説明は省略する。
【００２３】
リモートコントローラ１０２ａは、複数のキーを備え、これらキーを介して入力された指示に対応したコマンドを送信する。また、リモートコントローラ１０２ａは、受付手段としてのカーソルコントロールパッド１０２１を備えている。カーソルコントロールパッド１０２１は、ユーザのタッチ操作を検出し、ユーザのタッチ操作に対応したカーソル制御信号を送信する。カーソル制御信号は、映像表示部１ｂに表示されるカーソルを移動したり、カーソルの下に表示されている項目を選択したりするための制御信号である。信号受光部１０２は、リモートコントローラ１０２ａからのコマンド及び制御信号を受信し、制御モジュール１０４へ通知する。
【００２４】
以下、第１及び第２の実施形態に係る消費電力表示システムによる消費電力表示及び外部装置の制御について説明する。
【００２５】
（第１の消費電力表示）
ＤＴＶ１の通信モジュール１０３は、各外部装置から消費電力情報を受信する。また、ＤＴＶ１のＯＳＤ制御モジュール１０７は、各外部装置の消費電力情報に基づき各外部装置の消費電力を相対的に表示するための表示情報を生成し、合成処理モジュール１０９は表示情報を出力する。これに対応して、映像表示部１ｂは、表示情報に基づき各外部装置の消費電力を相対的に表示する。
【００２６】
図２は、各外部装置の消費電力表示の一例を示す図である。例えば図２に示すように、映像表示部１ｂは、各外部装置の消費電力の割合をグラフ（例えば円グラフ１１）により表示し、また、各外部装置の合計消費電力を表示する。さらに、映像表示部１ｂは、制御対象の外部装置を選択するためのポインター（例えばフリーカーソル１２）を表示する。円グラフ１１は、各外部装置に対応するアイコンと、各外部装置の消費電力値とを含む。これにより、ユーザは、全装置の消費電力の内の、各外部装置の消費電力の割合を直感的に把握することができる。
【００２７】
なお、ＤＴＶ１は、各外部装置の消費電力に応じて、各外部装置のアイコンのサイズを変更し、各外部装置の消費電力を相対的に表示するようにしてもよい。例えば、消費電力の非常に大きい外部装置のアイコンを非常に大きく表示し、消費電力のやや大きい外部装置のアイコンをやや大きく表示し、消費電力のやや小さい外部装置のアイコンをやや小さく表示し、消費電力の非常に小さい外部装置のアイコンを非常に小さく表示するようにしてもよい。
【００２８】
（第１の外部装置制御）
ＤＴＶ１は、外部装置の選択操作に対応して、選択された外部装置を制御することができる。例えば、ユーザは、リモートコントローラ１０２ａのカーソルコントロールパッド１０２１（フリーカーソル１２）を用いて、消費電力表示画面（例えば図２）を介して、制御対象の外部装置を選択することができる。ＤＴＶ１の制御モジュール１０４は、外部装置の選択操作に対応して、選択された外部装置を制御するための制御メニュー１３（図３参照）の出力を指示する。この指示に対応して、ＯＳＤ制御モジュール１０７は表示情報を生成し、合成処理モジュール１０９は表示情報を出力する。これに対応して、映像表示部１ｂは、図３に示すように、表示情報に基づき各外部装置の消費電力を相対的に表示するとともに、選択された外部装置を制御するための制御メニュー１３を表示する。
【００２９】
制御メニュー１３は、対応する外部装置に応じた項目（制御可能な項目）を含む。通信モジュール１０３は、各外部装置から制御可能項目に関する情報を受信し、ＯＳＤ制御モジュール１０７は、各外部装置からの制御可能項目に関する情報に基づき、各外部装置に対応した制御メニューを表示するための表示情報を生成することができる。
【００３０】
選択された外部装置が、例えばエアーコンディショナーである場合、選択された外部装置に対応した制御メニュー１３は、制御対象の外部装置の名称（エアーコンディショナー）、電力（パワーオン状態／パワーオフ状態）、設定温度、運転モード等の情報を含む。例えば、ユーザは、リモートコントローラ１０２ａのカーソルコントロールパッド１０２１（フリーカーソル１２）を用いて、制御メニュー１３を介して、電力の項目を選択することができる。ＤＴＶ１の制御モジュール１０４は、電力の項目の選択操作に対応して、電力を制御するための制御メニュー１４（図４参照）の出力を指示する。この指示に対応して、ＯＳＤ制御モジュール１０７は表示情報を生成し、合成処理モジュール１０９は表示情報を出力する。これに対応して、映像表示部１ｂは、電力を制御するための制御メニュー１４を表示する。
【００３１】
制御メニュー１４は、例えば、ＯＮ、ＯＦＦの項目を含む。例えば、ユーザは、リモートコントローラ１０２ａのカーソルコントロールパッド１０２１（フリーカーソル１２）を用いて、制御メニュー１４を介して、ＯＮ又はＯＦＦの項目を選択することができる。ＤＴＶ１の制御モジュール１０４は、例えば、ＯＦＦの項目の選択操作に対応して、電力を制御するための電力制御信号（電力ＯＦＦ制御信号）の出力を指示する。この指示に対応して、通信モジュール１０３は、制御対象の外部装置に対して、電力制御信号（電力ＯＦＦ制御信号）を出力する。
【００３２】
例えば、制御対象の外部装置は、電力制御信号を受信し、例えば、動作電力の給電状態から待機電力の給電状態へ切り替えて、待機状態となる。
【００３３】
（第２の消費電力表示）
動作状態から待機状態に切り替わった外部装置は、ＤＴＶ１に対して、待機状態であることを通知する。ＤＴＶ１の制御モジュール１０４は、待機状態通知に基づき、待機状態の外部装置と、動作状態の外部装置とを区別して表示するための制御を実行し、これに対応して、ＯＳＤ制御モジュール１０７は、動作状態の外部装置の消費電力を相対的に表示し、且つ動作状態の外部装置と待機状態の外部装置とを区別するための表示情報を生成し、合成処理モジュール１０９は表示情報を出力する。これに対応して、映像表示部１ｂは、例えば図５に示すように、動作状態の外部装置の消費電力を相対的に表示し、且つ動作状態の外部装置と待機状態の外部装置とを区別して表示する。
【００３４】
図５に示すように、動作状態の外部装置の消費電力は円グラフ１１により表示され、待機状態の外部装置は円グラフ１１では表示されず、待機状態の外部装置は待機一覧エリア１５中に表示される。この表示により、ユーザは、動作状態の外部装置と待機状態の外部装置とを直感的に識別することができる。
【００３５】
（第２の外部装置制御）
ＤＴＶ１は、待機状態の外部装置の選択操作に対応して、選択された待機状態の外部装置を制御することができる。例えば、ユーザは、リモートコントローラ１０２ａのカーソルコントロールパッド１０２１（フリーカーソル１２）を用いて、消費電力表示画面（例えば図５）の待機一覧エリアを介して、待機状態の外部装置を選択することができる。ＤＴＶ１の制御モジュール１０４は、待機状態の外部装置の選択操作に対応して、選択された待機状態の外部装置を制御するための制御メニュー１３（図６参照）の出力を指示する。この指示に対応して、ＯＳＤ制御モジュール１０７は表示情報を生成し、合成処理モジュール１０９は表示情報を出力する。これに対応して、映像表示部１ｂは、図６に示すように、選択された待機状態の外部装置を制御するための制御メニュー１３を表示する。
【００３６】
例えば、ユーザは、リモートコントローラ１０２ａのカーソルコントロールパッド１０２１（フリーカーソル１２）を用いて、制御メニュー１３を介して、ＯＮの項目を選択することができる。ＤＴＶ１の制御モジュール１０４は、例えば、ＯＮの項目の選択操作に対応して、電力を制御するための電力制御信号（電力ＯＮ制御信号）の出力を指示する。この指示に対応して、通信モジュール１０３は、制御対象の外部装置に対して、電力制御信号（電力ＯＮ制御信号）を出力する。例えば、制御対象の外部装置は、電力制御信号を受信し、例えば、待機電力の給電状態から動作電力の給電状態へ切り替えて、動作状態となる。
【００３７】
また、ユーザは、リモートコントローラ１０２ａのカーソルコントロールパッド１０２１（フリーカーソル１２）を用いて、制御メニュー１３を介して、設定温度の項目を選択することができる。ＤＴＶ１の制御モジュール１０４は、設定温度の項目の選択操作に対応して、設定温度を制御するための制御メニュー１６（図６参照）の出力を指示する。この指示に対応して、ＯＳＤ制御モジュール１０７は表示情報を生成し、合成処理モジュール１０９は表示情報を出力する。これに対応して、映像表示部１ｂは、設定温度を制御するための制御メニュー１６を表示する。
【００３８】
制御メニュー１６は、例えば、温度アップ、温度ダウンの項目を含む。例えば、ユーザは、リモートコントローラ１０２ａのカーソルコントロールパッド１０２１（フリーカーソル１２）を用いて、制御メニュー１６を介して、温度アップ又は温度ダウンの項目を選択し、温度を設定することができる。ＤＴＶ１の制御モジュール１０４は、温度アップ又は温度ダウンの項目選択に対応して設定された温度値を指定するための温度制御信号の出力を指示する。この指示に対応して、通信モジュール１０３は、制御対象の外部装置に対して、温度制御信号を出力する。例えば、制御対象の外部装置は、温度制御信号を受信し、温度値を制御する。
【００３９】
（第３の消費電力表示）
上記説明では、主に、ＤＴＶ１が、円グラフにより各外部装置の消費電力を表示するケースについて説明した。しかしながら、円グラフによる各外部装置の消費電力表示に限定されるものでない。
【００４０】
例えば、図７に示すように、ＤＴＶ１の映像表示部１ｂは、各外部装置の消費電力の割合を棒グラフ（例えば横棒グラフ３０）により表示し、また、各外部装置の合計消費電力を表示する。つまり、映像表示部１ｂは、横棒グラフ３０により、各外部装置の消費電力を積み上げて表示する。
【００４１】
例えば、ユーザは、リモートコントローラ１０２ａのカーソルコントロールパッド１０２１（フリーカーソル１２）を用いて、消費電力表示画面（例えば図７）を介して、制御対象の外部装置を選択することができる。ＤＴＶ１の制御モジュール１０４は、外部装置の選択操作に対応して、選択された外部装置を制御するための制御メニュー１３（図８参照）の出力を指示する。この指示に対応して、ＯＳＤ制御モジュール１０７は表示情報を生成し、合成処理モジュール１０９は表示情報を出力する。これに対応して、映像表示部１ｂは、図８に示すように、表示情報に基づき各外部装置の消費電力を相対的に表示するとともに、選択された外部装置を制御するための制御メニュー１３を表示する。制御メニュー１３を介した外部装置の制御については上記説明した通りである。
【００４２】
（第４の消費電力表示）
図９に示す消費電力表示システムによる消費電力表示について説明する。上記説明したように、ＤＴＶ１は、各外部装置からの消費電力情報を受信し、さらに、スマートメータ６からの消費電力情報（例えば家庭全体の消費電力情報）も受信する。
【００４３】
これに対応して、例えば図１０に示すように、ＤＴＶ１の映像表示部１ｂは、各外部装置の消費電力を相対的に表示し、各外部装置の合計消費電力を表示し、さらに、家庭全体の消費電力も表示する。
【００４４】
次に、ＤＴＶ１による消費電力情報の取得について説明する。
【００４５】
（消費電力情報取得の第１例）
例えば、ＤＴＶ１は、必要なタイミングで各外部装置に対してポーリングし、各外部装置から消費電力情報を取得する。
【００４６】
図１２に示すように、ＤＴＶ１は、外部装置２から消費電力情報を取得するために、外部装置２に対して、電力情報取得要求（電力情報取得コマンド）を発行する。電力情報取得要求を受信した外部装置２は、自身の現在の電力情報（消費電力）を計測し、ＤＴＶ１に対して、電力情報取得要求に対する電力情報取得応答を返信する。電力情報取得応答は、外部装置２の現在の消費電力値を含む。
【００４７】
同様の処理により、ＤＴＶ１は、外部装置３、４、５から消費電力値を取得する。
【００４８】
（消費電力情報取得の第２例）
例えば、各外部装置は、消費電力が変化したタイミングで消費電力情報（消費電力値）をＤＴＶ１に通知する。これに対応して、ＤＴＶ１は、各外部装置からの消費電力情報を取得する。
【００４９】
図１３に示すように、ＤＴＶ１は、外部装置２から消費電力情報を取得するために、外部装置２に対して、電力情報通知要求（電力情報通知コマンド）を発行する。電力情報通知要求は、消費電力の変化に応じて消費電力情報を通知することを要求するものである。同様に、ＤＴＶ１は、外部装置３、４、５に対しても電力情報通知要求を発行する。
【００５０】
第１回目の電力情報通知要求を受けた外部装置２は、自身の現在の電力情報（消費電力）を計測し、電力情報通知要求に対する電力情報通知応答をＤＴＶ１に対して返信する。電力情報通知応答は、外部装置２の現在の消費電力値を含む。同様に、第１回目の電力情報通知要求を受けた外部装置３は、自身の現在の電力情報（消費電力）を計測し、電力情報通知要求に対する電力情報通知応答をＤＴＶ１に対して返信する。電力情報通知応答は、外部装置３の現在の消費電力値を含む。
【００５１】
その後、各外部装置は、消費電力値に変化が生じた場合に、ＤＴＶ１に対して変化した消費電力値を含む電力情報通知を送信する。
【００５２】
ＤＴＶ１が、各外部装置に対して、電力情報通知中止要求を送信すると、各外部装置は、電力情報通知中止応答を返信し、電力情報通知を中止する。つまり、各外部装置は、電力情報通知要求を受けてから、電力情報通知中止要求を受けるまでの間、消費電力値に変化が生じた場合に、ＤＴＶ１に対して変化した消費電力値を含む電力情報通知を送信する。
【００５３】
（消費電力情報取得の第３例）
例えば、各外部装置は、一定の間隔で消費電力情報（消費電力値）をＤＴＶ１に通知する。これに対応して、ＤＴＶ１は、各外部装置からの消費電力情報を取得する。
【００５４】
図１４に示すように、ＤＴＶ１は、外部装置２から第１の時間間隔で消費電力情報を取得するために、外部装置２に対して、電力情報通知間隔設定要求を発行する。電力情報通知間隔設定要求は、第１の時間間隔で消費電力情報を通知することを要求するものである。同様に、ＤＴＶ１は、外部装置３から第２の時間間隔で消費電力情報を取得するために、外部装置３に対して、電力情報通知間隔設定要求を発行する。電力情報通知間隔設定要求は、第２の時間間隔で消費電力情報を通知することを要求するものである。同様に、外部装置４、５に対しても電力情報通知間隔設定要求を発行する。
【００５５】
第１回目の電力情報通知間隔設定要求を受けた外部装置２は、自身の現在の電力情報（消費電力）を計測し、電力情報通知間隔設定要求に対する電力情報通知間隔設定応答をＤＴＶ１に対して返信する。電力情報通知間隔設定応答は、外部装置２の現在の消費電力値を含む。同様に、第１回目の電力情報通知間隔設定要求を受けた外部装置３は、自身の現在の電力情報（消費電力）を計測し、電力情報通知間隔設定要求に対する電力情報通知間隔設定応答をＤＴＶ１に対して返信する。電力情報通知間隔設定応答は、外部装置３の現在の消費電力値を含む。
【００５６】
その後、各外部装置は、設定された時間間隔で、ＤＴＶ１に対して消費電力値を含む電力情報通知を送信する。
【００５７】
ＤＴＶ１が、各外部装置に対して、電力情報通知中止要求を送信すると、各外部装置は、電力情報通知中止応答を返信し、電力情報通知を中止する。つまり、各外部装置は、電力情報通知間隔設定要求を受けてから、電力情報通知中止要求を受けるまでの間、設定された時間間隔で、ＤＴＶ１に対して消費電力値を含む電力情報通知を送信する。
【００５８】
上記説明では、カーソルによる外部装置の選択及び項目の選択について説明した。なお、カーソル以外の選択手段による外部装置の選択及び項目の選択であってもよい。また、上記説明では、制御メニューを介した各種制御について説明した。なお、制御メニュー以外の指定手段による各種制御であってもよい。即ち、ユーザインターフェースについては、様々な手法を適用することができるものとする。
【００５９】
上記説明では、ＤＴＶ１が、各外部装置の消費電力を表示し、各外部装置の動作を制御するケースについて説明した。同様に、パーソナルコンピュータ、携帯電話、スマートフォン、又はタブレット型端末等の通信装置が、各外部装置の消費電力を表示し、各外部装置の動作を制御することもできる。
【００６０】
上記説明では、主に、ＤＴＶ１が、無線通信を利用し、各外部装置の消費電力を表示し、各外部装置の動作を制御するケースについて説明した。同様に、ＤＴＶ１又は上記した通信装置が、Ethernet（登録商標）又はＰＬＣ等により各外部装置と接続し、各外部装置の消費電力を表示し、各外部装置の動作を制御することもできる。
【００６１】
以下、各実施形態で説明した消費電力表示及び外部装置制御についてまとめる。
【００６２】
ＤＴＶ１は、第１〜第４の消費電力表示のうちの少なくとも一つの表示により、各外部装置の消費電力を相対的且つ明確に通知することができる。これにより、ユーザは、直感的に、各外部装置の消費電力を把握することができ、ユーザの利便性が高まる。さらに、ＤＴＶ１は、上記表示と、第１及び第２の外部装置制御との組み合わせにより、各外部装置の制御のための操作を簡単にすることができ、省エネルギー行動の促進効果を得ることができる。
【００６３】
例えば、ＤＴＶ１は、各外部装置の消費電力をグラフ表示し、ユーザは、省エネルギーのために、グラフ表示の中から所望の外部装置を選択して、選択した外部装置の電力をオフにすることができる。また、ユーザは、外部装置の消費電力を下げるために、グラフ表示の中から所望の外部装置を選択して、選択した外部装置の暖房設定温度を下げたり、冷房設定温度を上げたりすることができる。
【００６４】
なお、上記したモジュールとは、ハードウェアで実現するものであっても良いし、ＣＰＵ等を使ってソフトウェアで実現するものであってもよい。
【００６５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００６６】
以下、本願の分割出願の出願当初の特許請求の範囲に記載された発明である。
【００６７】
（１）
各外部装置から消費電力情報を受信する受信手段と、
各外部装置の消費電力情報に基づき各外部装置の消費電力を相対的に表示するための表示情報を生成する生成手段と、
前記表示情報を出力する出力手段と、
各外部装置の中から第１の外部装置の選択を受け付ける受付手段と、
前記第１の外部装置を制御する制御手段と、
を備えた電子機器。
【００６８】
（２）
前記出力手段により出力される前記表示情報に基づき各外部装置の消費電力を相対的に表示する表示手段を備えた（１）記載の電子機器。
【００６９】
（３）
前記受付手段は、前記表示手段上のカーソルにより、各外部装置の中から前記第１の外部装置の選択を受け付ける（２）記載の電子機器。
【００７０】
（４）
前記表示手段は、前記表示情報に基づき各外部装置の消費電力の割合をグラフで表示する（２）又は（３）記載の電子機器。
【００７１】
（５）
前記受付手段は、待機電力より高い動作電力が供給された動作状態の前記第１の外部装置の選択を受け付け、前記第１の外部装置を前記動作状態から待機状態へ変更するための第１の変更指示を受け付け、
前記制御手段は、前記第１の変更指示に基づき、前記第１の外部装置に対して電力の切り替えを指示する電力制御信号を送信する（２）乃至（４）の何れか１つに記載の電子機器。
【００７２】
（６）
前記受付手段は、前記待機電力が供給された前記待機状態の第２の外部装置の選択を受け付け、前記第２の外部装置を前記待機状態から前記動作状態へ変更するための第２の変更指示を受け付け、
前記制御手段は、前記第２の変更指示に基づき、前記第２の外部装置に対して前記電力制御信号を送信する（５）記載の電子機器。
【００７３】
（７）
前記生成手段は、前記第１の外部装置と前記第２の外部装置とを区別して表示するための前記表示情報を生成し、
前記表示手段は、前記表示情報に基づき、前記第１の外部装置と前記第２の外部装置とを区別して表示する（６）記載の電子機器。
【００７４】
（８）
前記生成手段は、前記動作状態の前記第１の外部装置及び前記動作状態の第３の外部装置の消費電力を相対的に表示し、且つ前記動作状態の前記第１の外部装置及び前記動作状態の第３の外部装置と前記待機状態の前記第２の外部装置とを区別して表示するための前記表示情報を生成し、
前記表示手段は、前記表示情報に基づき、前記動作状態の前記第１の外部装置及び前記動作状態の前記第３の外部装置の消費電力を相対的に表示し、且つ前記動作状態の前記第１の外部装置及び前記動作状態の前記第３の外部装置と前記待機状態の前記第２の外部装置とを区別して表示する（７）記載の電子機器。
【００７５】
（９）
各外部装置から消費電力情報を受信し、
各外部装置の消費電力情報に基づき各外部装置の消費電力を相対的に表示するための表示情報を生成し、
前記表示情報を出力し、
各外部装置の中から第１の外部装置の選択を受け付け、
前記第１の外部装置を制御する情報出力方法。
【符号の説明】
【００７６】
１…ＤＴＶ、１ａ…映像記録再生部、１ｂ…映像表示部、１ｃ…音声出力部、１０１…ユーザ操作入力部、１０２…信号受光部、１０３…通信モジュール、１０４…制御モジュール、１０５…チューナ部、１０６…メモリ、１０７…ＯＳＤ制御モジュール、１０８…記録再生信号処理モジュール、１０９…合成処理モジュール、１１１…ディスクドライブ部、１１２…ハードディスクドライブ部
【図１】
0005270023.tif 000002
【図２】
0005270023.tif 000003
【図３】
0005270023.tif 000004
【図４】
0005270023.tif 000005
【図５】
0005270023.tif 000006
【図６】
0005270023.tif 000007
【図７】
0005270023.tif 000008
【図８】
0005270023.tif 000009
【図９】
0005270023.tif 000010
【図１０】
0005270023.tif 000011
【図１１】
0005270023.tif 000012
【図１２】
0005270023.tif 000013
【図１３】
0005270023.tif 000014
【図１４】
0005270023.tif 000015